(57)【要約】【課題】ＰＬＤ等の論理デバイスの書込みデータについての最新履歴をＲＦＩＤより読み出せる情報書込み／読出しシステムを提供する。【解決手段】論理デバイスとＲＦＩＤ端末間にＲＦＩＤを経由する通信経路を確立し、ＲＦＩＤ端末より、その通信経路を介して書込みデータを論理デバイスへ送信して、その書込みデータを論理デバイス内のデータ格納部に格納する。それとともに、書込みデータの内容を示す特定情報をＲＦＩＤ内に格納して、ＲＦＩＤ端末によって、その特定情報を読み出し、表示する。【選択図】図１
2009009276.tif 000002
【特許請求の範囲】
【請求項１】
特定の書込みデータにしたがって所定の論理動作をする論理デバイスとＲＦＩＤとを搭載してなる情報書込み／読出しシステムであって、
前記論理デバイスとＲＦＩＤ端末間に前記ＲＦＩＤを経由する通信経路を確立する手段と、
前記通信経路を介して前記書込みデータを前記ＲＦＩＤ端末より前記論理デバイスへ送信する手段と、
前記送信された前記書込みデータを前記論理デバイス内のデータ格納部に格納する手段と、
前記書込みデータの内容を示す特定情報を前記ＲＦＩＤ内の情報格納部に格納する手段と、
前記ＲＦＩＤ端末によって前記通信経路を介して前記情報格納部より前記特定情報を読み出す手段とを備えることを特徴とする情報書込み／読出しシステム。
【請求項２】
請求項１に記載の情報書込み／読出しシステムにおいて、前記ＲＦＩＤと前記論理デバイスとが同一ユニット上に相互通信可能に個別に搭載されていることを特徴とする情報書込み／読出しシステム。
【請求項３】
請求項１に記載の情報書込み／読出しシステムにおいて、前記ＲＦＩＤが前記論理デバイスに相互通信可能に内蔵されていることを特徴とする情報書込み／読出しシステム。
【請求項４】
請求項１から３のいずれかに記載の情報書込み／読出しシステムにおいて、前記ＲＦＩＤ端末は前記特定情報を可視表示する手段を有することを特徴とする情報書込み／読出しシステム。
【請求項５】
請求項４に記載の情報書込み／読出しシステムにおいて、さらに、前記論理デバイス内のデータ格納部からの前記書込みデータの読出しを禁止する手段を備えることを特徴とする情報書込み／読出しシステム。
【発明の詳細な説明】
【技術分野】
【０００１】
本発明は情報書込み／読出しシステムに係り、特に、ＲＦＩＤを使用した情報書込み／読出しシステムに関する。
【背景技術】
【０００２】
近年における電子装置や電子機器の制御基板には、複雑な機能や制御等を実現するための論路回路デバイスとして、ユーザが自由に論理動作をプログラムできるプログラム可能論理デバイスＰＬＤ(Programmable Logic Device)が使用されている。このＰＬＤは、その構造や書き込み可能な回路規模で分類した場合、設計の自由度が高く、ゲートの使用効率が高いＦＰＧＡ(Field Programmable Gate Array)と、ＰＬＤに相当する論理ブロックを複数組み合わせた構造とすることで回路規模を大きくできるＣＰＬＤ（Complex Programmable Logic Device）に大別できる。また、通常の電子装置には、固定的な制御プログラムを格納するための読み出し専用メモリであるＲＯＭ（Read Only Memory）も必須の構成デバイスである。
【０００３】
このようなＰＬＤ（ＦＰＧＡ，ＣＰＬＤ）やＲＯＭを制御基板に搭載する際、そのデバイス表面に特定の文字等をレーザ印字したり、あるいは文字、記号等が記載されたラベルを貼付して、それらのデバイスにどのような回路データ、ソフトウエア、定数等が書き込まれているかを外部から目視で確認できるようにしている。
【０００４】
一方、特許文献１には、電子機器（製品）情報をその製品のパラメータデータに反映させたり、パラメータデータをラベル化する際の読取りの煩わしさを解消するため、製品に取り付けられたＲＦＩＤ(Radio Frequency Identification)とその製品との間で情報のやり取りを行うパラメータ設定端末が開示されている。
【０００５】
【特許文献１】特開２００５−２５８９７６号公報
【発明の開示】
【発明が解決しようとする課題】
【０００６】
しかしながら、上記のようにラベルを貼付する方法では、デバイスに書き込まれたデータを新たなデータに書き換えた際、同時にラベルを貼付し直す必要がある。そのとき、ラベルを貼付し忘れたり、古いラベルのままにしたり、あるいはラベルが途中で剥がれる等により、書込みデータの内容と、印字表示あるいはラベルの記載とが必ずしも一致しているとは限らない状況が生じていた。
【０００７】
また、デバイス内の書込みデータの内容を確認するには、パーソナル・コンピュータ（ＰＣ）等のツールを用いて、その書込みデータをデバイスから読み出す方法が一般的であり、そのための作業が煩雑であるという問題がある。さらに一部のデバイスでは、機密保持の観点から書込みデータの読出しを禁止する機能を持たせているため、書込みデータの確認ができないという問題もある。
【０００８】
ところで、特許文献１に記載のパラメータ設定端末は、製品情報を、その製品に取り付けたＲＦＩＤとの交信により製品のパラメータデータに反映させる点において、ラベル等による表示よりも優れている。しかし、パラメータ設定端末とＲＦＩＤ間の通信で読み出したデータを、ネットワークを介して製品に送り、製品からの情報は、同じくネットワークを介してパラメータ設定端末へ送り、それをＲＦＩＤに書き込んでデータの同期化を行っている。そのため、ネットワークの存在が不可欠となり、装置規模が大きくなるだけでなく、製品側の電源を投入した状態でしか同期化ができないので、電源供給を不要とするＲＦＩＤの利点を活かすことができない、という問題がある。
【０００９】
本発明は、上記の課題を解決するためになされたものであって、その目的は、ＲＦＩＤを介して論理デバイスに書込みデータを格納でき、かつ、その書込みデータの内容を確認可能な情報書込み／読出しシステムを提供することにある。
【課題を解決するための手段】
【００１０】
本発明に係る情報書込み／読出しシステムは、上記の目的を達成するために、請求項１に記載の発明は、特定の書込みデータにしたがって所定の論理動作をする論理デバイスとＲＦＩＤとを搭載してなる情報書込み／読出しシステムであって、前記論理デバイスとＲＦＩＤ端末間に前記ＲＦＩＤを経由する通信経路を確立する手段と、その通信経路を介して前記書込みデータを前記ＲＦＩＤ端末より前記論理デバイスへ送信する手段と、前記送信された書込みデータを前記論理デバイス内のデータ格納部に格納する手段と、前記書込みデータの内容を示す特定情報を前記ＲＦＩＤ内の情報格納部に格納する手段と、前記ＲＦＩＤ端末によって前記通信経路を介して前記情報格納部より前記特定情報を読み出す手段とを備えることを特徴としている。
本発明の請求項２に記載の情報書込み／読出しシステムは、前記ＲＦＩＤと前記論理デバイスとが同一ユニット上に相互通信可能に個別に搭載されていることを特徴としている。
本発明の請求項３に記載の情報書込み／読出しシステムは、前記ＲＦＩＤが前記論理デバイスに相互通信可能に内蔵されていることを特徴としている。
本発明の請求項４に記載の情報書込み／読出しシステムは、前記ＲＦＩＤ端末は前記特定情報を可視表示する手段を有することを特徴としている。
本発明の請求項５に記載の情報書込み／読出しシステムは、さらに、前記論理デバイス内のデータ格納部からの前記書込みデータの読出しを禁止する手段を備えることを特徴としている。
【発明の効果】
【００１１】
本発明の請求項１に記載の情報書込み／読出しシステムは、特定の書込みデータにしたがって所定の論理動作をする論理デバイスとＲＦＩＤとを搭載してなる情報書込み／読出しシステムであって、前記論理デバイスとＲＦＩＤ端末間に前記ＲＦＩＤを経由する通信経路を確立する手段と、その通信経路を介して前記書込みデータを前記ＲＦＩＤ端末より前記論理デバイスへ送信する手段と、前記送信された書込みデータを前記論理デバイス内のデータ格納部に格納する手段と、前記書込みデータの内容を示す特定情報を前記ＲＦＩＤ内の情報格納部に格納する手段と、前記ＲＦＩＤ端末によって前記通信経路を介して前記情報格納部より前記特定情報を読み出す手段とを備えるので、ＲＦＩＤ内に書込みデータの内容を示す特定情報を保持しつつ、ＲＦＩＤを介して論理デバイスに書込みデータの書込みができ、同時にＲＦＩＤより特定情報の読出しができる。
本発明の請求項２に記載の情報書込み／読出しシステムは、上記ＲＦＩＤと論理デバイスとが同一ユニット上に相互通信可能に個別に搭載されているので、ＲＦＩＤを介した論理デバイスへの書込みデータの書込みができる。
本発明の請求項３に記載の情報書込み／読出しシステムは、上記ＲＦＩＤが前記論理デバイスに相互通信可能に内蔵されているので、論理デバイス単体で書込みデータの書込み、およびＲＦＩＤからの特定情報の読出しができる。
本発明の請求項４に記載の情報書込み／読出しシステムは、上記ＲＦＩＤ端末は特定情報を可視表示する手段を有するので、論理デバイスの最新の更新履歴を迅速かつ確実に確認できる。
本発明の請求項５に記載の情報書込み／読出しシステムは、さらに、上記論理デバイス内のデータ格納部からの上記書込みデータの読出しを禁止する手段を備えるので、書込みデータの機密保持を一定レベルに維持することができる。
【発明を実施するための最良の形態】
【００１２】
以下、本発明を実施するための最良の形態を図面に基づいて説明する。図１は、本発明に係る情報書込み／読出しシステムの構成を示すブロック図である。図１に示す情報書込み／読出しシステム１において、ユニット１０は、例えばプリント回路基板（ＰＷＢ）等の制御基板であり、不図示の電子機器や装置に収容されて所定の制御等を行うため、多数の論理ブロックからなる論理デバイス２０が搭載されている。
【００１３】
論理デバイス２０は、プログラム可能論理デバイス（例えば、ＰＬＤ）や、制御プログラム等が格納された専用のメモリ（例えば、ＥＥＰＲＯＭ）によって構成されている。このＰＬＤは、具体的には多数のゲートで構成されたＦＰＧＡ(Field Programmable Gate Array)、複数の論理ブロックからなるＣＰＬＤ（Complex Programmable Logic Device）である。また、論理デバイス２０には、論理動作を規定する回路データや定数データ等を格納するためのデータ格納部２１が設けられている。
【００１４】
ユニット１０には、さらにＲＦＩＤ(Radio Frequency Identification)３０が配されており、その制御部３１によって、論理デバイス２０内の入出力ポート２５を介して、データ格納部２１とデータのやり取りが可能になっている。ＲＦＩＤ３０は、無線ＩＣチップ、ＩＣタグ等とも呼ばれ、電波や電磁波によって、後述するＲＦＩＤリーダ／ライタ５０と交信する。この交信は通信処理部３５によって行われる。なお、このＲＦＩＤ３０は、内蔵されたアンテナ３３によりＲＦＩＤリーダ／ライタ５０からの電波を受け、そのアンテナ３３側からの非接触電力伝送技術（例えば、電磁誘導等）により、電池を内蔵しなくても動作可能である。また、情報の読込みのみならず、書き換えも可能である。
【００１５】
ＲＦＩＤリーダ／ライタ５０は、ＲＦＩＤ３０に対してデータを送信したり、ＲＦＩＤ３０からデータを受信するための専用装置（専用端末）であり、かかるデータの送受信は、通信処理部５５による制御の下、内蔵されたアンテナ５３を介して行われ、その通信距離は、使用環境にもよるが、通常は数センチから数メートルである。また、ＲＦＩＤ３０の使用周波数帯域は、例えば、１２５ｋＨｚ〜１３５ｋＨｚ帯、１３．５６ＭＨｚ帯、２．４５ＧＨｚ帯等があり、これらのうち、１３．５６ＭＨｚ帯が最も広く利用されている。なお、これらの周波数帯域（長波帯、短波帯、マイクロ波帯）以外でも、ＵＨＦ帯（８００ＭＨｚ〜９５０ＭＨｚ）を使用することも可能である。
【００１６】
次に、本発明に係る情報書込み／読出しシステムのデータの処理動作、手順について説明する。図２は、情報書込み／読出しシステムにおけるデータの書込み動作処理を示すフローチャートであり、図３は、データの読出し動作処理を示すフローチャートである。
【００１７】
情報書込み／読出しシステム１におけるデータの書込みは、ＲＦＩＤリーダ／ライタ５０よりＲＦＩＤ３０を経由して行う。そのため、図２のステップＳ１１で、データの書込み先である論理デバイス２０が搭載されたユニット１０を起動（電源投入）する。この起動により論理デバイス２０、すなわちＰＬＤ（ＦＰＧＡ，ＣＰＬＤ）等のセットアップ、初期化等が行われる。続くステップＳ１３で、ＲＦＩＤリーダ／ライタ５０を起動する。
【００１８】
ＲＦＩＤリーダ／ライタ５０の操作キー５４により、ＲＦＩＤリーダ／ライタ５０を送信モードにするとともに、データ送信の開始操作をすることで、ＲＦＩＤリーダ／ライタ５０−ＲＦＩＤ３０−論理デバイス２０の通信経路が確立する（ステップＳ１５）。送信されるデータは、ＲＦＩＤリーダ／ライタ５０のメモリ５７に格納されており、制御部５１が送信モードと判定した場合、そのデータをメモリ５７より読み出して通信処理部５５へ送る。通信処理部５５は、そのデータをさらにアンテナ５３へ送り込む。
【００１９】
この送信データは、論理デバイス２０の論理動作プログラムに対応した回路データ、定数データ等の書込みデータの他、その書込みデータの更新履歴データ（ソフトウエア・バージョン、ハードウエア・バージョン等を含み、ここでは、書込みデータ情報とも呼ぶ）からなる。
【００２０】
通信確立後、ステップＳ１７において、書込みデータが論理デバイス２０の入出力ポート２５を介してデータ格納部２１へ送信される。すなわち、ＲＦＩＤリーダ／ライタ５０からの送信データがＲＦＩＤ３０のアンテナ３３で受信され、それが通信処理部３５を介して制御部３１に送られる。制御部３１は、受信データのうち、上述した書込みデータを論理デバイス２０のデータ格納部２１へ送る。これにより、論理デバイス２０では、書込みデータを構成する回路データや定数データ等に従った論理プログラミングが行われる。
【００２１】
一方、制御部３１は、ステップＳ１９において、受信データのうち、書込みデータ情報をＲＦＩＤ３０のメモリ３７に格納する。このとき、メモリ３７内に既に書込み済みの書込みデータ情報があれば、その情報に上書きすることで、書込みデータ情報を更新する。その結果、論理デバイス２０のデータ格納部２１内に格納された書込みデータの内容と、メモリ３７内の書込みデータ情報との対応がとれ、この書込みデータ情報が、常に書込みデータの最新の更新履歴を示すことになる。
【００２２】
ステップＳ２１では、すべての受信データ（書込みデータおよび書込みデータ情報）の書込みが行われたか否かを判定し、全データの書込みが終っていなければ、上記ステップＳ１７およびステップＳ１９の処理を繰り返す。しかし、全データの書込みが終了した場合には、ステップＳ２３において、上記の通信経路を閉じて通信を終了する。
【００２３】
次に、この情報書込み／読出しシステムにおけるデータ（書込みデータ情報）の読出し手順について、図３を参照して説明する。最初に、ステップＳ３１で、ＲＦＩＤリーダ／ライタ５０を起動する。そして、ＲＦＩＤリーダ／ライタ５０の操作キー５４によって、ＲＦＩＤリーダ／ライタ５０を受信モードにした後、データ受信の開始操作をすることにより、ＲＦＩＤ３０−ＲＦＩＤリーダ／ライタ５０の通信経路が確立する（ステップＳ３３）。なお、本発明に係る情報書込み／読出しシステムにおける書込みデータ情報の読出し時には、ＲＦＩＤ３０単独での動作が可能であることから、論理デバイス２０が搭載されたユニット１０の起動（電源投入）は不要である。
【００２４】
ＲＦＩＤ３０の制御部３１は、ＲＦＩＤ３０−ＲＦＩＤリーダ／ライタ５０間の通信確立後、ＲＦＩＤリーダ／ライタ５０より書込みデータ情報の読出し要求が出されたと判断した場合には、要求された書込みデータ情報をメモリ３７より読み出す。そして、その情報を通信処理部３５へ送る。その結果、書込みデータ情報は、ＲＦＩＤ３０のアンテナ３３を介して送信される（ステップＳ３５）。
【００２５】
ＲＦＩＤリーダ／ライタ５０のアンテナ５３は、ＲＦＩＤ３０から送信された書込みデータ情報を受信し、それを通信処理部５５へ送る。そこで、ステップＳ３７で、すべての書込みデータ情報の読出しが行われたか否かを判定する。全データの読出しが終っていなければ、上記のステップＳ３５の処理を繰り返す。
【００２６】
ステップＳ３７で、全データの読出しが終了したと判断された場合には、続くステップＳ３９においてＲＦＩＤリーダ／ライタ５０の制御部５１は、受信した情報を解析し、それを表示部５２に表示する。そして、ステップＳ４１において、ＲＦＩＤ３０−ＲＦＩＤリーダ／ライタ５０間の通信経路を閉鎖して、通信を終了する。
【００２７】
開発担当者や保守員は、表示部５２に表示された情報を見ることで、論理デバイス２０の論理動作プログラムとしてデータ格納部２１に格納された、回路データ、定数データ等の書込みデータ情報について、最新の更新履歴（ソフトウエア・バージョン、ハードウエア・バージョン等）を知ることができる。また、その表示結果を利用して、書込みデータの内容と、デバイス上の印字表示、あるいはラベルの記載とを一致させる作業を行うことができる。
【００２８】
なお、書込みデータ情報のデータ量そのものが、書込みデータに比べて少ないため、書込みデータ情報が格納されたＲＦＩＤ３０のメモリ３７の容量は、論理デバイス２０のデータ格納部２１よりも小さくて済む。そのため、ＲＦＩＤリーダ／ライタ５０による書込みデータ情報の読出し、および確認を短時間で行うことができる。
【００２９】
上記のデータの読出しにおいて、論理デバイス２０より書込みデータそのものを読み出す場合には、ユニット１０を起動して、論理デバイス２０−ＲＦＩＤ３０−ＲＦＩＤリーダ／ライタ５０の通信経路を確立する必要がある。その場合のデータ経路は、上述した論理デバイス２０へのデータの書込み時における経路と逆の関係にあるため、ここでは、その説明を省略する。
【００３０】
このように、ユニット１０に論理デバイス２０とＲＦＩＤ３０とを搭載して、論理デバイス２０とＲＦＩＤ３０間でデータのやり取りができるようにし、ＲＦＩＤリーダ／ライタ５０よりＲＦＩＤ３０を経由して論理デバイス２０にデータの書込みを行える構成とする。それとともに、受信データのうち、書込みデータ情報をＲＦＩＤ３０のメモリ３７を使用して、その書込みおよび読出しを可能にする。このようにすることで、論理デバイス２０への書込みデータとその書込みデータ情報とを一致させ、常に最新の更新履歴がＲＦＩＤのメモリに格納された状態を維持することができる。
【００３１】
したがって、ＲＦＩＤリーダ／ライタ５０を使用してＲＦＩＤ３０に格納された書込みデータ情報を読み出すだけで、ユニットとＲＦＩＤリーダ／ライタ間を信号ケーブル等で接続する必要もなく、書込みデータの最新の更新履歴を知ることができる。これは、論理デバイス２０に対して、書込みデータの読出しが機密保持の観点から禁止されている場合であっても、書込みデータ情報だけは読み出すことができることを意味する。換言すれば、書込みデータ情報の読出しを許可しても、書込みデータの機密保持レベルだけは従来の装置と同様に維持できることになる。
【００３２】
なお、上述した例では、ユニット１０上に論理デバイス２０とは別にＲＦＩＤ３０を配し、ＲＦＩＤ３０の制御部３１を介して、論理デバイス２０内のデータ格納部２１とデータのやり取りをしているが、これに限定されるものではない。例えば、図４に示すように、ＲＦＩＤ３０を論理デバイス２０内部に組み込む構成（ＲＦＩＤ３０を論理デバイス２０に内蔵させる構成）としてもよい。
【００３３】
すなわち、論理デバイス２０にＲＦＩＤ３０を内蔵することで、論理デバイス２０の内部において、そのデバイス単体でデータ格納部２１とＲＦＩＤ３０間でデータのやり取りを行える。そのため、論理デバイス２０に入出力ポートを設ける必要もなく、また、データの書込み／読出し用の外部回路や信号パターンも不要になるので、システム構成そのものを簡略化できる。この場合におけるデータの書込み動作、および読出し動作は、上述した例と同じであるため、ここでは、その詳細を省略する。
【図面の簡単な説明】
【００３４】
【図１】本発明の一実施の形態に係る情報書込み／読出しシステムの構成を示すブロック図である。
【図２】情報書込み／読出しシステムにおけるデータの書込み動作処理を示すフローチャートである。
【図３】情報書込み／読出しシステムにおけるデータの読出し動作処理を示すフローチャートである。
【図４】ＲＦＩＤを論理デバイス内に組み込んだ構成例を示すブロック図である。
【符号の説明】
【００３５】
１  情報書込み／読出しシステム
１０  ユニット
２０  論理デバイス
２１  データ格納部
２５  入出力ポート
３０  ＲＦＩＤ
３１，５１  制御部
３３，５３  アンテナ
３７，５７  メモリ
５０  ＲＦＩＤリーダ／ライタ
５２  表示部
５４  操作キー
５５  通信処理部
【図１】
2009009276.tif 000003
【図２】
2009009276.tif 000004
【図３】
2009009276.tif 000005
【図４】
2009009276.tif 000006